(57)【要約】【課題】釣り糸に巻きつけて使用する鉛製の帯状の板おもりに関する技術であって、特に、一方の表面に多数の突出部を形成して、釣り糸に巻きつける際に指が滑らないようにした板おもりに関する技術である。【解決手段】鉛製の帯状の板おもり１１の一方の表面に、平面部１４ｃと平面部１４ｃから突出する多数の突出部（突条）１４ａ、１４ｂとを形成するとともに、突出部（突条）１４ａ、１４ｂの高さを０．０２ｍｍ〜０．１ｍｍとし、前記平面部１４ｃの面積を一方の表面の５０％以上としたから、板おもり１１を釣り糸に巻きつける際に滑りにくく巻きやすいのであり、また、高さの低い突出部（突条）１４ａ、１４ｂと、溝のない面積の大きい平面部１４ｃとで形成したから、軟らかい鉛製でありながら、強度の低下が少なく釣り糸に巻きつける際に、ちぎれたりすることがないのである。【選択図】図２
0003152060.tif 000002
【実用新案登録請求の範囲】
【請求項１】
釣り糸に巻きつけて使用する鉛製の帯状の板おもりにおいて、一方の表面に、平面部と平面部から突出する多数の突出部とを形成するとともに、前記突出部の高さを０．０２ｍｍ〜０．１ｍｍとし、前記平面部の面積を一方の表面の５０％以上としたことを特徴とする板おもり。
【請求項２】
前記多数の突出部は、長手方向の一方の辺から他方の辺に対して多数の平行な斜めの第一突条と、第一突条に交差する多数の平行な斜めの第二突条とから形成するとともに、第一突条及び第二突条で区画された区画域を平面部としたことを特徴とする請求項１に記載の板おもり。
【請求項３】
前記多数の突出部は、多数の平行な突条を表面から突出形成したことを特徴とする請求項１に記載の板おもり。
【請求項４】
前記突出部は、所定の形状を表わす外形線部であることを特徴とする請求項１に記載の板おもり。
【考案の詳細な説明】
【技術分野】
【０００１】
本考案は、釣り糸に巻きつけて使用する鉛製の帯状の板おもりに関するものであり、特に、一方の表面に多数の突出部を形成して、釣り糸に巻きつける際に指が滑らないようにした板おもりに関するものである。
【背景技術】
【０００２】
従来、魚釣りに使用される仕掛けには、ウキの浮く位置を調整するために鉛製の帯状の板おもりが使用されている（例えば、特許文献１及び特許文献２参照）。
また、従来の市販されている板おもりは、例えば、幅を７ｍｍ、１２ｍｍ、１７ｍｍとし、厚さを０．２０ｍｍ、０．２５ｍｍ、０．３０ｍｍ、０．３５ｍｍとし、帯状で長さを適宜としたものである。
【０００３】
そして、板おもりは釣り場において釣り糸に巻きつけてハサミで切って重さを調節することにより、ウキの浮く水面がウキのエサ落ち目盛りに位置するようにしている。
【先行技術文献】
【特許文献】
【０００４】
【特許文献１】特開２０００−１９７４３５号公報（段落０００２、図２）
【特許文献２】実用新案登録第２５１２７１５号公報（第２図、符号１１）
【考案の概要】
【考案が解決しようとする課題】
【０００５】
従来の板おもりは、釣り糸に指で巻きつけて使用する際に、表面が滑らかであるため、指が板おもりの表面で滑って巻きつけ難いという課題があった。
また、巻きつけ難いので、巻きつけ後の断面を真円とすることが難しく、断面が楕円となったり、いびつとなり、仕掛けを上げるときに、板おもりが勢いよく回転しながら上がるために長短２本のハリスが絡みやすいという課題があった。
【０００６】
本考案は、このような従来の板おもりが有していた課題を解決しようとするものであり、板おもりの一方の表面に多数の突出部を形成することにより、釣り糸に巻きつける際に指が滑らないようにした板おもりとすることを目的としている。
【課題を解決するための手段】
【０００７】
請求項１に係る本考案は、釣り糸に巻きつけて使用する鉛製の帯状の板おもりにおいて、一方の表面に、平面部と平面部から突出する多数の突出部とを形成するとともに、突出部の高さを０．０２ｍｍ〜０．１ｍｍとし、前記平面部の面積を一方の表面の５０％以上とした板おもりである。
【０００８】
請求項２に係る本考案は、請求項１に係る本考案の構成に加え、多数の突出部は、長手方向の一方の辺から他方の辺に対して多数の平行な斜めの第一突条と、第一突条に交差する多数の平行な斜めの第二突条とから形成するとともに、第一突条及び第二突条で区画された区画域を平面部とした板おもりである。
【０００９】
請求項３に係る本考案は、請求項１に係る本考案の構成に加え、多数の突出部は、多数の平行な突条を表面から突出形成した板おもりである。
【００１０】
請求項４に係る本考案は、請求項１に係る本考案の構成に加え、突出部は、所定の形状を表わす外形線部である板おもりである。
【考案の効果】
【００１１】
請求項１に係る本考案は、板おもりの一方の表面に、平面部と平面部から突出する多数の突出部とを形成するとともに、突出部の高さを０．０２ｍｍ〜０．１ｍｍとし、前記平面部の面積を一方の表面の５０％以上としたから、板おもりを釣り糸に巻きつける際に滑りにくく巻きやすいのである。
また、高さの低い突出部と、溝のない面積の大きい平面部とで形成したから、軟らかい鉛製でありながら、強度の低下が少なく釣り糸に巻きつける際に、ちぎれたりすることがないのである。
さらに、釣り糸に巻きつけやすいために、断面を真円に近づけやすく、仕掛けを上げるときに長短２本のハリスを絡みにくくすることができるのである。
【００１２】
請求項２に係る本考案は、請求項１に係る本考案の効果に加え、多数の突出部は、長手方向の一方の辺から他方の辺に対して多数の平行な斜めの第一突条と、第一突条に交差する多数の平行な斜めの第二突条とから形成するとともに、第一突条及び第二突条で区画された区画域を平面部としたから、突出部が交差パターンであり、指になじみやすいのである。
【００１３】
請求項３に係る本考案は、請求項１に係る本考案の効果に加え、多数の突出部は、多数の平行な突条を表面から突出形成したから、突条を形成するための治具を簡単にすることができる。
【００１４】
請求項４に係る本考案は、請求項１に係る本考案の効果に加え、突出部は、所定の形状を表わす外形線部としたから、色々な模様、例えば、鱗や円形をかたどったものとして、使用者の興味を引くことができる。
【図面の簡単な説明】
【００１５】
【図１】本考案の第一〜第四の実施の形態に係る説明図である。
【図２】本考案の第一の実施の形態に係る平面図である。
【図３】図２のＡ−Ａ線拡大部分断面図である。
【図４】本考案の第二の実施の形態に係る平面図である。
【図５】図３の拡大Ｂ矢視図である。
【図６】本考案の第三の実施の形態に係る平面図である。
【図７】図６のＣ−Ｃ線拡大断面図である。
【図８】本考案の第四の実施の形態に係る平面図である。
【図９】図８の拡大Ｄ矢視図である。
【考案を実施するための形態】
【００１６】
以下、本考案の実施の形態を添付した図面により詳細に説明する。
図１は、本考案の第一〜第四の実施の形態に係る板おもりを使用した魚釣り用の仕掛けの説明図である。
【００１７】
まず、図１に基づいて、魚釣り用の仕掛けを説明する。
図１において、１はへら鮒や黒鯛などの魚釣り用の仕掛けであり、仕掛け１は、釣り竿２、サルカン３、ナイロン製の釣り糸（道糸）４、ウキ止め５ａ、５ｂ、ウキ６、ウキ取付具７、板おもり用ストッパー８ａ、８ｂ、サルカン９、ハリス１０ａ、１０ｂを備えるとともに、ストッパー８ａ、８ｂの間に板おもり１１（２１、３１、４１）を設けている。
【００１８】
次に、本考案の第一の実施の形態に係る板おもりを図２及び図３に基づいて説明する。  図２は板おもりの平面図、図３は図２のＡ−Ａ線拡大部分断面図である。
【００１９】
図２及び図３において、板おもり１１は、釣り糸（道糸）４への巻き始め端部が接する裏面１２ａが平面で、巻きつけるときに指が接する表面１２ｂに、長手方向の一方の辺１３ａから他方の辺１３ｂに対して多数の平行な斜め４５度の第一突条１４ａと、第一突条１４ｂに直交する多数の平行な斜め４５度の第二突条１４ｂとを形成している。
第一突条１４ａ及び第二突条１４ｂでそれぞれ区画された多数の区画域をそれぞれ平面部１４ｃとしており、両突条１４ａ、１４ｂは、平面部１４ｃから突出する突出部を線状に連続させて突条に形成しており、平面部１４ｃから突出する突条（突出部）の高さを０．０５ｍｍとしている。
【００２０】
第一突条（第一突出部）１４ａ及び第二突条（第二突出部）１４ｂのピッチはそれぞれ１．２５ｍｍで、第一突条（第一突出部）１４ａ及び第二突条（第二突出部）１４ｂの最大幅はそれぞれ０．２５ｍｍである。
そして、板おもり１１の幅は１２ｍｍで、平面部の厚さは０．２５ｍｍで、裏面１２ａからの両突条（突出部）１４ａ、１４ｂの高さ（厚さ）は０．３ｍｍである。
【００２１】
また、板おもり１１の材質は純度９９．９９９％の鉛である。
両突条（突出部）１４ａ、１４ｂの形成は、平滑ローラーと型ローラーとの間を通すことで行うこともできるし、プレス成形などによることもできる。
【００２２】
板おもり１１は、第一突条（第一突出部）１４ａ及び第二突条（第二突出部）１４ｂをクロスパターンで形成しているため、釣り糸（道糸）４に巻きつける際に滑りにくく巻きやすいのであり、両突条（突出部）１４ａ、１４ｂがクロスパターンであり、指になじみやすいのである。
また、板おもり１１の平面部１４ｃの面積は、一方の表面１２ｂの６４％を占めており、高さが０．０５ｍｍと低い両突条（突出部）１４ａ、１４ｂと、溝のない面積の大きい平面部１４ｃとで形成しているため、軟らかい鉛製でありながら、強度の低下が少なく釣り糸（道糸）４に巻きつける際に、ちぎれたりすることがないのである。
さらに、板おもり１１が釣り糸（道糸）４に巻きつけやすいために、断面を真円に近づけやすく、仕掛け１を上げるときに長短２本のハリス１０ａ、１０ｂを絡みにくくすることができるのである。
【００２３】
この第一の実施の形態では、第一突条（第一突出部）１４ａ及び第二突条（第二突出部）１４ｂを板おもり１１の長手方向の辺１３ａ、１３ｂからそれぞれ４５度の角度で斜めに形成して、区画域を正方形としたが、両突条（突出部）１４ａ、１４ｂを直交に変えて鋭角（鈍角）で交差させて菱形としてもよく、また、第一突条（第一突出部）１４ａと第二突条（第二突出部）１４ｂとは、ピッチ、高さ、幅を異ならせてもよい。
また、第一の実施の形態では、板おもり１１の平面部１４ｃの面積を、一方の表面１２ｂの６４％としたが、５０％以上であれば、９０％程度にしてもよい。
この場合、突条（突出部）のピッチや、突条（突出部）の幅を変更することにより、板おもり１１の平面部１４ｃの面積を変えることができる。
【００２４】
さらに、第一の実施の形態では、突条（突出部）の高さを０．０５ｍｍとしたが、０．０２〜０．１ｍｍの範囲で変えることができ、０．０２未満とすると滑り止め機能が低下し、０．１ｍｍを超えると突出部の形成がやり難くなることから、突条（突出部）の高さを上記範囲とするのである。
また、第一の実施の形態では、板おもり１１の幅を１２ｍｍ、平面部１４ｃの厚さを０．２５ｍｍとしたが、例えば、幅を７ｍｍ、１７ｍｍ、厚さを０．２０ｍｍ、０．３０ｍｍ、０．３５ｍｍなどとすることもできる。
【００２５】
次に、本考案の第二の実施の形態を図４及び図５に基づいて説明する。
図４は板おもりの平面図、図５は図４の拡大Ｂ矢視図である。
第二の実施の形態は、図４及び図５に示すように、板おもり２１の表面２２ｂに一方の辺２３ａから他方の辺２３ｂに辺２３ａ、２３ｂと直角な一種類の突条（突出部）２４を形成したのである。
【００２６】
突条（突出部）２４のピッチは１．２５ｍｍで、突条（突出部）２４の最大幅は０．２５ｍｍであり、隣合う２つの突条（突出部）２４、２４間を平面部２４ａとしており、平面部２４ａの面積は一方の表面２２ｂの８０％としている。
また、突条（突出部）２４の高さは０．０７ｍｍであり、平面部２４ａの厚さは０．２５ｍｍであり、裏面２２ａからの突条（突出部）２４の高さ（厚さ）は０．３２ｍｍである。
【００２７】
第二の実施の形態は、多数の平行な一種類の突条（突出部）２４を所定ピッチで表面２２ｂから突出形成するのであるから、突条（突出部）２４を形成するための治具を簡単にすることができる。
また、突条（突出部）２４が板おもり２１の長手方向と直交しているから、板おもり２１を釣り糸（道糸）に巻きつける際に指に引っかかりやすいのである。
【００２８】
第二の実施の形態において、上記以外の他の構成は第一の実施の形態と同じであるので、説明を省略する。
第二の実施の形態では、突条（突出部）２４を板おもり２１の長手方向と直交するように形成したが、突条を長手方向に形成してもよく、辺２３ａ、２３ｂと斜めになるように形成してもよい。
【００２９】
次に、本考案の第三の実施の形態を図６及び図７に基づいて説明する。
図６は板おもりの平面図、図７は図６のＣ−Ｃ線拡大断面図である。
図６及び図７において、板おもり３１の表面３２ｂに、多数の突条（突出部）３４を多数の円形３４ａの外形線部により形成している。
【００３０】
円形３４ａのピッチは一方の辺３３ａと他方の辺３３ｂとに直交する方向が２．５ｍｍで、長手方向が５．０ｍｍであり、表面３２ｂにおける突条（突出部）３４の内径が１．０ｍｍで外径が１．５ｍｍで、突条（突出部）３４の最大幅が０．２５ｍｍ、高さが０．０５ｍｍである。
突条（突出部）３４を除いた板おもり３１における他の部分３４ｂ及び円形３４ａは、図７に示すように平面部であり、平面部（３４ａ、３４ｂ）の面積は一方の表面３２ｂの８４％としている。
【００３１】
第三の実施の形態では、円形を表わす外形線部を突条（突出部）３４としたが、円形に限らず、各種の形状あるいは模様を表わす外形線部を突条（突出部）とすることができる。
なお、他の構成については第一の実施の形態で説明したとおりである。
【００３２】
次に、本考案の第四の実施の形態を図８及び図９に基づいて説明する。
図８は板おもりの平面図、図９は図８の拡大Ｄ矢視図である。
図８及び図９において、板おもり４１の表面４２ｂに、平面部４４ｂから突出する多数の円錐状の突出部４４を形成している。
【００３３】
多数の突出部４４のピッチは一方の辺４３ａと他方の辺４３ｂとに直交する方向が１．２５ｍｍで、長手方向が２．５ｍｍであり、突出部４４の最大径が０．５ｍｍで、突出部４４の高さが０．０７ｍｍであり、平面部４４ｂの面積は一方の表面４２ｂの８７％である。
第四の実施の形態では、突出部４４の形状を円錐状としたが、角錐状、半球面状などの各種の突出部の形状を採用することができる。
【００３４】
以上の第一〜第四の実施の形態に係る板おもり１１、２１、３１、４１を魚釣り用の仕掛け１に使用するには、釣り糸（道糸）４に板おもり１１、２１、３１、４１を直接巻きつける場合、板おもり１１、２１、３１、４１の端部をハサミの刃に当てて折り返して折り返し部を作り、折り返し部に釣り糸（道糸）４を挟んで釣り糸（道糸）４に適宜の重さになるように板おもり１１、２１、３１、４１を巻きつけるのである。
また、板おもり１１、２１、３１、４１を巻きつけ軸を介して釣り糸（道糸）４に巻きつける場合、あらかじめ釣り糸（道糸）４に巻きつけ軸を固定しておき、板おもり１１、２１、３１、４１を巻きつけ軸に巻きつけるのである。
【符号の説明】
【００３５】
４      釣り糸（道糸）
１１、２１、３１、４１    板おもり
１２ｂ、２２ｂ、３２ｂ、４２ｂ  表面
１３ａ  一方の辺
１３ｂ  他方の辺
１４ａ  第一突条（第一突出部）
１４ｂ  第二突条（第二突出部）
１４ｃ、２４ａ、３４ａ、３４ｂ、４４ａ  平面部
２４、３４    突条（突出部）
４４    突出部
【図１】
0003152060.tif 000003
【図２】
0003152060.tif 000004
【図３】
0003152060.tif 000005
【図４】
0003152060.tif 000006
【図５】
0003152060.tif 000007
【図６】
0003152060.tif 000008
【図７】
0003152060.tif 000009
【図８】
0003152060.tif 000010
【図９】
0003152060.tif 000011